(57)【特許請求の範囲】
【請求項１】
建物開口部の両端側に立設される一対のガイドレールと、該ガイドレール間に立設される中間ガイドレールとによって区画される開口部の上方に、それぞれシャッターカーテンを収納するケースがその両側端部を壁面に取付けられた係止具に支持された状態で取付けられる連窓シャッターのケース取付構造において、シャッターケースの側端部同士が隣接する部位の壁面に、隣接するケースのうち後付け側のケース側面に対して垂直方向に突出する係止片を有する中間部用係止具を設ける一方、前記後付け側のケース側面には該中間部用係止具の係止片に係止される係止孔を穿設して、該係止孔を前記係止片に係止することで隣接する後付け側シャツターケースのケース側面を仮支持するように構成したことを特徴とする連窓シャッターのケース取付構造。
【請求項２】
前記中間部用係止具は壁面にビス止めされる固定面を有するとともに、該固定面には長孔が形成され壁面に対して位置調整自在に取付けられることを特徴とする請求項１記載の連窓シャッターのケース取付構造。
【発明の詳細な説明】
【０００１】
【発明の属する技術分野】
本発明は、建物の同一開口部に複数のシャッター装置を連続配置してなる連窓シャッターのケース取付構造に関するものである。
【０００２】
【従来技術および発明が解決しようとする課題】
従来より、シャッターカーテンを上下動させて間口が広い開口部の開閉操作を行うには、開口部の中間部に着脱自在な柱（中間ガイドレール）を立設して、開口部をいくつかの幅狭な領域に区切るとともに、これらの開口部にそれぞれ独立したシャッター装置を取り付けることにより行っていた。このような納まりのシャッター装置は一般に連窓シャッターと呼ばれ、図８はその連窓シャッターの全体構成を表している。建物に形成された開口部の周縁に水切板、縦枠および内マグサなどを取り付けて下地枠を形成し、該下地枠の両端に一対のガイドレールを、また、中間部には中間ガイドレールを立設して、これらのガイドレール間にそれぞれシャッターカーテンを昇降させるべく巻き取りシャフト及び開閉機などを内蔵するシャッターケースが開口部の上方に左右連続的に配置されている。
【０００３】
ところで、前記シャッターケースを躯体に取り付けるには、開口部上方の両端に予め引掛金具を取り付けるとともに、中間部には中間部用の引掛け金具を取り付けて、それぞれのシャッターケースの両側端部を前記金具に形成した係止片に仮支持させた後、木ねじにより壁面に固定していた。
ところが、シャッターケースの両側端部を前記係止金具に仮支持させるにあたっては、図９（Ａ）および（Ｂ）に示すようにケース側端部に形成した被係止部を係止金具の係止片に引掛けることととなるが、被係止部はケースの背面側に形成されている為、ケースを係止具に引掛ける際はケースの側方から両者の位置を確認しながら行っていた。しかしながら、左右のケースが隣接する中間部側では後付け側のケースを係止金具に係止させる際、先付けされたケースが邪魔となって係止具と被係止部の位置を視認することが出来なかった。
【０００４】
したがって、後付け側のケース隣接端を係止金具に引掛ける際は、ケースを上下左右に動かすなどして係止金具の位置を探りながら行っており作業効率が非常に悪く、また、両者が完全に係止されているか否かを目視することができないため、係止が不完全な状態でケースから手を離してしまって、ケースを落下させるなどの事故を誘発する惧れがあった。
【０００５】
【課題を解決するための手段】
本発明は、上記の如き実情に鑑み、これらの課題を解決することを目的として創作されたものであって、建物開口部の両端側に立設される一対のガイドレールと、該ガイドレール間に立設される中間ガイドレールとによって区画される開口部の上方に、それぞれシャッターカーテンを収納するケースがその両側端部を壁面に取付けられた係止具に支持された状態で取付けられる連窓シャッターのケース取付構造において、シャッターケースの側端部同士が隣接する部位の壁面に、隣接するケースのうち後付け側のケース側面に対して垂直方向に突出する係止片を有する中間部用係止具を設ける一方、前記後付け側のケース側面には該中間部用係止具の係止片に係止される係止孔を穿設して、該係止孔を前記係止片に係止することで隣接する後付け側シャツターケースのケース側面を仮支持するように構成したものである。
【０００６】
また、前記中間部用係止具は壁面にビス止めされる固定面を有するとともに、該固定面には長孔が形成され壁面に対して位置調整自在に取付けられるように構成した。
【０００７】
【発明の実施の形態】
図面においてＳは同一開口部内に左右連続状に設置される連窓シャッターであつて、該連窓シャッターＳはシャッターケース１，１、ガイドレール２，２、中間ガイドレール３、シャッターカーテン４、巻き取りシャフト５（図示しない）等の各種部材装置を用いて構成されていることは何れも従来通りである。
【０００８】
開口部の周縁には水切板６と下地枠７および内マグサ８を取り付けて四周枠を形成し、該四周枠の両側端（下地枠７）にガイドレール２，２を取り付けるとともに、両ガイドレールの中間部には中間ガイドレール３がその上下端部を内マグサ８と水切板６に取り付けられた受金具９および受皿１０に対して着脱自在に立設されている。
【０００９】
中間ガイドレール３は断面形状略Ｈ型の縦長部材であって、上端部に受金具９に係止される係止孔３ａが形成されるとともに、下端部には受皿１０に係止する上げ落し式の錠装置３ｂ及び係止片３ｃが形成されている。
前記受金具９は内マグサ８の連結部に取り付けられたねじプレート１１に取り付けられ、該受金具９には中間ガイドレール３の上端を係止する下向き折曲片９ａが形成されている。また、前記受皿１０は水切板の連結部に取付けられるアングル状の曲げ金具であって、中間ガイドレール３の下端部に取付けられた錠装置３ｂを係止する係止片１０ａと、中間ガイドレールの下端部に形成された係止片３ｃを係止する係止孔１０ｂが形成されている。
以上のようにしてなる中間ガイドレール３は、先ず上端部に形成した係止孔３ａを突片９ａに係止させた後、係止片３ｃを係止孔１０ｂに係止するとともに、錠装置３ｂを下げ操作することにより、内マグサ８と水切板６間に立設されることとなる。
【００１０】
下地枠７，７の上方には、ケース引掛ねじ１２，１２が壁面から所定寸法突出するように取り付けられている。１３はねじプレートであって、該ねじプレート１３は、全体形状が略Ｆ字型を呈しており、上端部に前記引掛ねじ１２が螺進するねじ孔が形成されるとともに、下端部には直角部が形成されており、この直角部を下地枠７の上隅部に当てがうことにより、前記引掛ねじ１２を所定位置に取付けられるようになっている。
また、同様に前記内マグサ８の連結部に取り付けられたねじプレート１１には、中間部用ケース引掛ねじ１４が壁面から所定寸法突出するように取り付けられている。
【００１１】
シャッターケース１は、左右のケース側板１１１と、該側板間に連結される骨材とでケースの外形を形成するとともに、これらを金属製の薄板で覆うことにより箱状の函体を形成している。このようにして構成されるケースには、巻き取りシャフト、シャッターカーテン及び開閉機等が収納されるようになっている。
ケース側板１１１は金属製の板状部材であって、壁面に取り付けられる固定面１１１ａと、該固定面１１１ａに対して垂直方向に形成されるケース側面１１１ｂとを有しており、前記固定面には前記引掛ねじ１２を挿通する係止孔１１１ｃが形成されている。また、前記ケース側面１１１ｂには軸受が設けられており、巻き取りシャフトの両端を支持できるように構成されている。
【００１２】
以上のように構成された本発明の実施の形態において、シャッターケースを左右に連設するには、まず、開口部に取り付けられた下地枠７，７およびマグサ連結部の上方壁面に引掛けねじ１２および１４を螺着する。この時、引掛けねじ１２および１４は、ねじプレート１３，１１により、壁面の所定位置に取付けられるようになっている。そして、一方側のケース（本実施の形態では左側）のケース側板１１１，１１１に形成した係止孔１１１ｃ，１１１ｃを前記引掛ねじ１２および１４に引掛けて仮支持させた後、引掛けねじ１２を締結すると共に木ねじ１５により壁面に固定する。
【００１３】
次に、他方側のケース（本実施の形態では右側）を取り付けることとなるが、図５に示すように、既に固定されたケース（左側ケース）のケース側板の固定面１１１ａ上に中間部用係止具１６を重ねるようにして固定する。
中間部用係止具１６は図６に示すように金属製のアングル材であって、壁面に固定される固定面１６ａと、該固定面１６ａに直交しかつ、ケース側面に対向する対向面１６ｂとを有している。
前記固定面１６ａには複数の長孔１６ｃが穿設されているとともに、中間部には切欠部１６ｄが形成されている。この切欠部１６ｄは中間部係止具１６を他方のケース側板の固定面１１１ａ上に固定する際、引掛ねじ１４に重ならないように形成されたものである。一方、前記対向面１６ｂにはフック状係止片１６ｅ，１６ｅが上下に形成されている。
以上のように構成された中間部係止具は上記係止片１６ｅ，１６ｅが右側ケースのケース側面に直交するように取付けられている。
【００１４】
一方、右側のケースの内側端部側のケース側板１１２は、他のケース側板１１１とは異なり、壁面に固定される固定面１１２ａが上端に形成されるとともに、ケース側面１１２ｂには前記係止片１６ｅに係止される係止孔１１２ｆが上下に穿設されている。
【００１５】
右側のケースを取付ける際は、内側端側のケース側板１１２に形成した係止孔１１２ｆを中間部用係止具の係止片１６ｅに係止させるとともに、外側端側のケース側板１１１に形成した係止孔１１１ｃを引掛けねじ１２に係止させて仮支持させた後、木ねじ１５により壁面に固定する。
なお、中間部係止具１６には長孔１６ｃが穿設されているため、この長孔の範囲において、ケースの取付位置を調整できるようになっている。
以上のようにして左右のケースを壁面に固定した後、各ケースの側端部にカバーを取付けることにより一連の取付作業が完了する。
【００１６】
尚、本発明は上記実施の形態に限定されるものでないことは勿論であり、連窓シャツターとしては、二連だけではなく、三連、他連のものにも同様にして実施することができることは言うまでもない。
【００１７】
本発明は叙述の如く構成されたものであるから、窓シャツターを連設するにあたり、シャツターケースが隣接する中間部において、後付け側のケース側面に対して垂直方向に突出する係止片を有する係止具が設けられているため、該係止具に後付け側のケース側端部を係止する際、ケースの前面から係止片と係止孔の位置を目視しながら作業を行えるため、仮止作業を著しく向上させることができる。
【００１８】
また、中間部用係止具はケースの長手方向に位置調整自在に取付けられるため、ケース幅に若干の寸法誤差を生じたとしても、長孔の範囲内で調整することができる。
【図面の簡単な説明】
【図１】連窓シャッターの全体構成図である。
【図２】（Ａ）は受金具の取付状態を示す斜視図、（Ｂ）は受皿の取付状態を示す斜視図である。
【図３】中間ガイドレールの取付け方法を示す斜視図である。
【図４】ケース外側端部の取付斜視図である。
【図５】中間部用係止具の取付状態を示す斜視図である。
【図６】（Ａ）は中間部取付金具の正面図、（Ｂ）は平面図である。
【図７】ケースの取付方法を示す斜視図である。
【図８】従来の連窓シャッターを示す分解斜視図である。
【図９】（Ａ）は従来のケース取付方法を示す斜視図、（Ｂ）は縦断面図である。
【符号の説明】
１  シャッターケース
２  ガイドレール
３  中間ガイドレール
１２，１４  引掛けねじ
１６  中間部用係止具
１６ｃ  長孔
１６ｅ  係止片
１１１，１１２  ケース側板
１１２ｆ  係止孔
【図１】
0003665953.tif 000002
【図２】
0003665953.tif 000003
【図３】
0003665953.tif 000004
【図４】
0003665953.tif 000005
【図５】
0003665953.tif 000006
【図６】
0003665953.tif 000007
【図７】
0003665953.tif 000008
【図８】
0003665953.tif 000009
【図９】
0003665953.tif 000010